(57)【要約】【課題】  有底状のバルーン主体を膨出させても、常に扁平な形状を有する薬液注入器用バルーンとその製造方法、および前記バルーンを具備した薬液注入器を提供する。【課題手段】  弾性材によって有底状のバルーン主体１ａを構成するとともに、前記バルーン主体１ａ内に、内部を上下方向に区画するための隔壁２を、軸方向に沿って底面部から開口部近傍まで形成し、内部を加圧することにバルーン主体１ａを膨張させても、前記隔壁２によって、常にバルーン主体１ａが扁平状を維持するよう構成して薬液注入器用バルーン１とし、この薬液注入器用バルーンをハウジングに内装して薬液注入器とする。【選択図】      図１
2014171822.tif 000002
【特許請求の範囲】
【請求項１】
弾性材によって有底状のバルーン主体を構成するとともに、
前記バルーン主体内に、内部を上下方向に区画するための隔壁を、軸方向に沿って底面部から開口部近傍まで形成し、
内部が加圧されても、前記隔壁によって、常にバルーン主体が扁平状を維持するようにしたこと
を特徴とする薬液注入器用バルーン。
【請求項２】
前記弾性材は、
イソプレンゴム又はシリコンゴムなどの弾性ゴムであること
を特徴とする請求項１に記載の薬液注入器用バルーン。
【請求項３】
前記隔壁は、
バルーン主体内に、軸方向に沿って複数設けたこと
を特徴とする請求項１に記載の薬液注入器用バルーン。
【請求項４】
前記バルーン主体は、
前記隔壁によって形成された複数の薬液収納部に、異なる薬液が充填されていること
を特徴とする請求項１〜３のいずれかに記載の薬液注入器用バルーン。
【請求項５】
前記バルーン主体のゴム硬度は、
Ｄ２０〜５０であること
を特徴とする請求項１〜４にいずれかに記載の薬液注入器用バルーン。
【請求項６】
前記請求項１〜５のいずれかに記載の薬液注入器用バルーンが、扁平な形状を有するハウジングに内装されていること
を特徴とする薬液注入器。
【請求項７】
内部を区画するための隔壁が、軸方向に沿って底面部から開口部近傍まで形成された有底筒状からなるバルーン主体を、弾性ゴム材料の射出成形もしくは圧縮成形によって一体成形して薬液注入用バルーンを構成すること
を特徴とする薬液注入器用バルーンの製造方法。
【請求項８】
前記隔壁は、
所要の間隔を存して複数配置されていること
を特徴とする請求項７に記載の薬液注入器用バルーンの製造方法。
【請求項９】
前記隔壁は、
当該隔壁の厚みと横幅の比率を変えることによって、得られるバルーン主体の扁平度を可変とすること
を特徴とする請求項７に記載の薬液注入器用バルーンの製造方法。
【発明の詳細な説明】
【技術分野】
【０００１】
この発明は、治療のための薬液を携行し、当該薬液を必要に応じて注入するための薬液注入器用のバルーンとその製造方法、およびこのバルーンを具備した薬液注入器に関するものである。
【背景技術】
【０００２】
例えば、癌患者などが、疼痛緩和のための薬液や治療のための薬液を充填して携行し、随時、薬液を体内に注入するための薬液注入器は広く知られている。
かかる薬液注入器の一例として、特開平０９−２６２２８５号公報（特許文献１）の薬液注入装置がある。
【０００３】
この薬液注入装置においては、薬液バッグは、気泡の混入を防止して薬液を充填するとともに、体積減少にともない前記薬液を吐出口から吐出する薬液袋（薬液バッグ）と、加圧孔を介して加圧手段に対して着脱自在に接続される加圧袋（薬液カートリッジ）を、隔壁を介して一体的に形成したものである。
【０００４】
すなわち、前記薬液カートリッジは、薬液の消費状況を外から見えるようにするために透明乃至半透明であって、所定の機械的強度を有する硬質の高分子材料から形成され、その内面において、前記薬液バッグと薬液カートリッジとの間の仕切り部材として作用すると共に、薬液カートリッジの内壁との間において、導入気体を漏れなく封入できる弾性体からなる隔壁が設けられたものである。
【０００５】
そのため、加圧孔を介して内部に気体を導入することにより、隔壁で遮蔽された空間部位が膨張し、薬液バッグ側に移動して加圧するように構成されているので、この移動動作により薬液バッグがカートリッジ内において収縮され、内部の薬液を流量制御デバイスに送られるものである。
【０００６】
一方、特開２００２−１５９５７２号公報（特許文献２）においては、非円筒形状でコンパクトな携帯性のよい薬液持続注入器として、バルーンの外側に薬液を充填するバルーンの膨張過程で膨張寸法を束縛するように壁が付設されたものが提案されている。
【０００７】
この特許文献２では、薬液持続注入器においては、バルーンを収容するハウジングは、望ましくはブロー成形により成形するが射出成形等でもよいこと、バルーンの破裂の原因にならないようにハウジングの内面は滑らかであること、バルーンの状態やバルーン内の薬液残量を確認するために素材は透明で、目盛が付設されていること、扁平状の直方体にすること、最も短い１辺の長さはバルーンに充填量１００％を注入しバルーンが自由膨張した際の直径の５０〜８０％に設計すること、が望ましいと開示されている。
【先行技術文献】
【特許文献】
【０００８】
【特許文献１】特開平０９−２６２２８５号公報（段落０００９、段落００１９）
【特許文献２】特開２００２−１５９５７２号公報（請求項３、段落０００８、段落００１４、段落００１８）
【発明の概要】
【発明が解決しようとする課題】
【０００９】
前記特許文献１に記載の薬液注入バッグは、流量制御ユニットと一体不可分のものであって、前記薬液注入バッグを患者が携行することできるとしても、流量制御ユニットと一体化されていることが前提で、薬液注入バッグ自体を携行することを目的とするものではなく、薬液注入バッグ自体の構成が複雑で製作が容易ではない。
【００１０】
前記特許文献２に記載の薬液持続注入器は、ハウジングが円筒形状ではなく扁平形状となっているので、机等の平ら部分に置いても円筒状の薬液持続注入器のように転がり落ちることはなく、普通の大きさのポケットの中に収納できるために、携帯性がよいなど優れた作用効果を奏する。
【００１１】
しかしながら、バルーンは基本的に円筒状に膨出するが、扁平状に膨出するものは存在せず、バルーンの自由膨張をハウジングの隔壁で束縛するものであるので、扁平な直方体の短辺の長さを、バルーンに充填量１００％を注入し、バルーンが自由膨張した際の直径の５０〜８０％程度に設計することが求められるなど、薬液注入具のハウジングの製作に際し、実質的に制約があるなど解決すべき課題がある。
【００１２】
この発明はかかる現状に鑑み、有底円筒状を有するバルーン主体を膨出させても、常に扁平な形状を有するバルーンとすることができ、かつ構成も簡単で、取扱いが容易な薬液注入器用バルーンとその製造方法、および前記バルーンを具備した薬液注入器を提供せんとすることを目的とするものである
【課題を解決するための手段】
【００１３】
前記目的を達成するため、この発明の請求項１に記載の発明は、
弾性材によって有底状のバルーン主体を構成するとともに、
前記バルーン主体内に、内部を上下方向に区画するための隔壁を、軸方向に沿って底面部から開口部近傍まで形成し、
内部が加圧されても、前記隔壁によって、常にバルーン主体が扁平状を維持するようにしたこと
を特徴とする薬液注入器用バルーンである。
【００１４】
この発明の請求項２に記載の発明は、
請求項１に記載の薬液注入器用バルーンにおいて、
前記弾性材は、
イソプレンゴム又はシリコンゴムなどの弾性ゴムであること
を特徴とするものである。
【００１５】
この発明の請求項３に記載の発明は、
請求項１に記載の薬液注入器用バルーンにおいて、
前記隔壁は、
バルーン主体内に、軸方向に沿って複数設けたこと
を特徴とするものである。
【００１６】
この発明の請求項４に記載の発明は、
請求項１〜３のいずれかに記載の薬液注入器用バルーンにおいて、
前記隔壁によって形成された複数の薬液収納部に、異なる薬液が充填されていること
を特徴とするものである。
【００１７】
この発明の請求項５に記載の発明は、
請求項１〜４のいずれかに記載の薬液注入器用バルーンにおいて、
前記バルーン主体のゴム硬度は、
Ｄ２０〜５０であること
を特徴とするものである。
【００１８】
この発明の請求項６に記載の発明は、
請求項１〜５のいずれかに記載の薬液注入器用バルーンが、扁平な形状を有するハウジング内に内装されていること
を特徴とする薬液注入器である。
【００１９】
この発明の請求項７に記載の発明は、
内部を区画するための隔壁が、軸方向に沿って底面部から開口部近傍まで形成された有底筒状からなるバルーン主体を、弾性ゴム材料の射出成形もしくは圧縮成形によって一体成形して薬液注入用バルーンを構成すること
を特徴とする薬液注入器用バルーンの製造方法である。
【００２０】
この発明の請求項８に記載の発明は、
請求項７に記載の薬液注入器用バルーンの製造方法において、
前記隔壁は、
所要の間隔を存して複数配置されていること
を特徴とするものである。
【００２１】
この発明の請求項９に記載の発明は、
請求項７に記載の薬液注入器用バルーンの製造方法において、
前記隔壁は、
当該隔壁の厚みと横幅の比率を変えることによって、得られるバルーン主体の扁平度を可変とすること
を特徴とするものである。
【発明の効果】
【００２２】
この発明の薬液注入器用バルーンは、内部を軸方向に沿って形成された隔壁によって分割されたバルーン主体を弾性材で構成したので、前記バルーン主体を膨らませた際、前記隔壁の作用によってバルーン主体は常に扁平状に維持される。
したがって、薬液注入器を扁平なものとすることを可能とし、得られる薬液注入器は、容積の小さなものとできるので、患者のポケット内に容易に収納することができ、患者による薬液注入器の携行を容易なものとすることができる。
【００２３】
この発明の薬液注入器は、常に扁平に膨出するバルーンと、このバルーンを内蔵するハウジングで構成されるもので、前記ハウジングが携行に至便な扁平状であっても、ハウジングの偏平度合に対応するバルーンを採用することができるので、患者による携行がより容易な薬液注入器を提供することができる。
【００２４】
この発明の薬液注入用バルーンの製造方法は、膨出時に扁平状態を維持させるための隔壁を内部に有するバルーン主体を、シリコンゴムやイソプレンゴムなどの弾性材を使用して射出成形もしくは圧縮成形によって容易に得ることができる。
【００２５】
特に、この発明の薬液注入用バルーンの製造方法は、膨出時に扁平状態を維持させるための隔壁の厚みと横幅の比率を変えることによって、所望の扁平度合を有する薬液注入用バルーンを簡単に得ることができる。
【図面の簡単な説明】
【００２６】
【図１】この発明にかかる薬液注入用バルーンの一実施例を示すもので、（Ａ）は平面図、（Ｂ）は一部を切欠いた斜視図、（Ｃ）は膨らませた状態の一部を切欠いた側面図、（Ｄ）は膨らませた状態の一部を切欠いた底面図である。
【図２】この発明にかかる薬液注入用バルーンの他の実施例を示すもので、（Ａ）は平面図、（Ｂ）は膨らませた状態の側面図、（Ｃ）は膨らませた状態の底面図である。
【図３】この発明にかかる薬液注入用バルーンのさらに他の実施例を示すもので、（Ａ）は斜視図、（Ｂ）は平面図である。
【発明を実施するための形態】
【００２７】
以下、この発明にかかる薬液注入用バルーン（以下、単に「バルーン」という。）の実施の形態を、添付の図面に基づいて具体的に説明する。
なお、この発明は、以下の実施例にのみ限定されるものではなく、発明の要旨を変更しない範囲内で種々改良を加えることができるものである。
【００２８】
この発明にかかるバルーン１は、図１（Ｂ）で明らかなように、有底円筒状のバルーン主体１ａの内部中央に、内底部から上部開口部１ｂの近傍まで隔壁２を一体的に形成したものである。
かかるバルーン１は、例えば、シリコンゴムやイソプレンゴムなどの弾性ゴムの射出成形によって得ることができる。
【００２９】
かくして得たバルーン１は、前記隔壁２が、筒体の内底部中心から開口部１ｂ近傍まで形成されている。
したがって、バルーン主体１ａは、この隔壁２によって全体が球状に膨出できず、隔壁２と直接的に連動しない側壁が押圧されて外側に膨出し、その結果、全体が扁平状となるものである。（図１（Ｄ）参照）
【００３０】
図２（Ａ）に示すバルーン１０は、有底円筒状にバルーン主体１０ａ内に、その内底部から開口部１０ｂ近傍まで３枚の隔壁１１ａ，１１ｂ，１１ｃを、それぞれ所要間隔を存して配置したものである。
【００３１】
したがって、このバルーン１０内を加圧すると、バルーン１０は、図２（Ｂ）に示すように側面視で全体が紡錘状に膨らむ。
その際、中心部に配された隔壁１１ａも多少延びるが、バルーン主体１０ａの膨張幅以上に膨出することがない。
【００３２】
一方、前記隔壁１１ａの左右に当間隔を存して配置された隔壁１１ｂ，１１ｃは、図２（Ｃ）で明らかなように、隔壁１１ａ側と反対の外側に湾曲するが、この隔壁１１ｂ，１１ｃと一体化しているバルーン主体１０ａの壁面は、隔壁１１ｂ，１１ｃによって外側に膨出することがないので、バルーン主体１０ａは、図２（Ｃ）に示すように、全体が楕円状になるので扁平なバルーン１０が得られる。
【００３３】
図３に示すバルーン２０は、バルーン主体２０ａの開口部２０ｂを含む上部は円筒状に形成されているが、その下部は、相対する壁面ＳＷ，ＳＷを直線状とすることによって、全体が扁平状になるよう成形されたものである。
【００３４】
このバルーン２０も、前記バルーン１０と同様に、バルーン主体２０ａ内に相対する側壁ＳＷ，ＳＷ間を連結する２枚の隔壁２１，２１に連結されたものである。
したがって、バルーン２０内が加圧されると、相対する側壁ＳＷ，ＳＷ間は、前記隔壁２１，２１によって外側に膨出することが大幅に抑制されるので、バルーン２０自体は紡錘状に膨らむことなく、全体がより横長の楕円形状に膨出することになる。
【００３５】
なお、この実施例においては、薬液を充填するバルーン主体２０ａは、横断面が楕円状であるが、その開口部２０ｂは円筒状であるので、隔壁２１，２１の形状はＴ字状になっているものである。
【００３６】
かかるバルーン１，１０，２０は、いずれも弾性ゴムの射出もしくは圧縮成形によって得られるものであるが、各バルーン主体は曲率半径が大きいほど、あるいはその厚みが薄いほど膨張させ易く、隔壁の厚みおよび／または数と、バルーン主体の相対する側壁間を連結するための長さ（横幅）の比を変化させることで、所望の扁平度を有するバルーンを得ることができる。
【００３７】
各バルーン１，１０，２０は、いずれも内圧が加えられるため、その外皮は少なくとも０．５ｍｍ以上であることが好ましく、０．５ｍｍ未満の場合には、加圧の際に破れるおそれがある。
さらに、使用する弾性ゴムのデュロメータタイプＤ（ショアＤ）２０〜５０のものが好ましく、２０未満の場合には、柔らかすぎて十分な収縮（排出）のための圧力を得られないので実用的ではない。
一方、５０以上は、硬すぎて膨張のための十分な延びが得られない。さらに、収縮（排出）のための圧力が高すぎて実用的ではない。
【００３８】
なお、隔壁によって形成された各室には、患者のための薬液が収容されるが、各室とも同一の薬液であっても、各室ともに異なる薬液を充填してもよく、異なる液を充填する場合には、開口部近傍で液同士が混ざらないための手段を講ずるものである。
【００３９】
この発明の薬液注入器は、特に図示しないが、ハウジングと、このハウジング内に保持される、前記構成のバルーン１，１０，２０のいずれかとからなるものである。
【００４０】
この発明の薬液注入用バルーンは、以上述べたように、薬液を充填するバルーン自体を扁平状とすることができるので、このバルーンを収容するハウジングも扁平状とすることができるので、携行が容易となるので、携行における患者の負担を大幅に減少させることができる。
【産業上の利用可能性】
【００４１】
この発明の薬液注入用バルーンは、薬液を充填するバルーンと、このバルーンを収容するハウジングも扁平な形状とすることができるので、携行が容易で、薬液以外にも水やジュースなど清涼飲料やアルコール飲料など各種飲料の携行に利用できるものである。
【符号の説明】
【００４２】
１      薬液注入用バルーン
１ａ    バルーン主体
２      隔壁
【図１】
2014171822.tif 000003
【図２】
2014171822.tif 000004
【図３】
2014171822.tif 000005